(57)【要約】【課題】  アンカーボルトを打ち込むことなく、大きな重量を有する機器が転倒するのを防止し得る転倒防止装置及びそれを備えた機器の設置構造を提供する。【解決手段】  地面または床上Ｇに設置する機器１の転倒防止装置であって、  地面または床上に設置され、機器１の一対の後脚３Ａ，３Ｂが固定される一対のベースプレート２Ａ，２Ｂと、１機器の両側面前方側に、それぞれ前記側面とベースプレート２Ａ，２Ｂとの間に機器１の上方への浮き上がり量に応じた位置で保持する一対の保持機構４Ａ，４Ｂとを有する。【選択図】    図１
2005099924.tif 000002
【特許請求の範囲】
【請求項１】
地面または床上に設置する機器の転倒防止装置であって、
地面または床上に設置され、前記機器の一対の後脚が固定される一対のベースプレートと、
前記機器の両側面前方側に、それぞれ前記側面と前記ベースプレートとの間に前記機器の上方への浮き上がり量に応じた位置で保持する一対の保持機構と、
を有することを特徴とする転倒防止装置。
【請求項２】
前記保持機構はラックと逆転防止機能を備えた送り爪からなるラチェット機構であり、前記機器の側面には前記ラックが固定され、前記ベースプレートには前記送り爪が固定されていることを特徴とする請求項１に記載の転倒防止装置。
【請求項３】
前記保持機構はラックと逆転防止機能を備えた送り爪からなるラチェット機構であり、前記機器の側面には前記送り爪が固定され、前記ベースプレートにはラックが固定されていることを特徴とする請求項１に記載の転倒防止装置。
【請求項４】
請求項1乃至３のいずれかに記載の転倒防止装置と、該転倒防止装置のベースプレート上に配置される機器とを有することを特徴とする転倒防止装置を備えた機器の設置構造。
【請求項５】
請求項４に記載の転倒防止装置を備えた機器の設置構造において、
前記機器は、自動販売機であることを特徴とする転倒防止装置を備えた機器の設置構造。
【発明の詳細な説明】
【技術分野】
【０００１】
本発明は、転倒防止装置、及びそれを備えた機器の設置構造に係り、特に、自動販売機などのように大きな重量を有して起立する機器に使用するに好適な転倒防止装置、及びそれを備えた機器の設置構造に関する。
【背景技術】
【０００２】
起立した状態に設置されて大きな重量を有する機器として種々のものがあり、例えば、自動販売機がある。自動販売機は地震等が発生しても、転倒しないような設置構造が採用されている。
従来のこのような機器の設置構造は、例えば、自動販売機を設置しようとする設置場所の地面あるいはベースプレートにアンカーボルトを打ち込み、そのアンカーボルトを自動販売機の本体や脚部に固定して剛体構造とすることで、地震等の発生によっても自動販売機が転倒しないように固定されている。
【０００３】
このような設置構造の他、地震によって揺れたとき、例えば、前方に転倒しないように配慮されたものが提案されている（例えば、特許文献１参照。）
この特許文献１に記載のものは、整理箪笥や収納ケース等の箱物長尺物が振動によって前後方向に揺れたとき、それらに取り付けられた箱物長尺物取付部材が共に前後に揺れることで、吊設バーが箱物長尺物持上部材から持ち上がると、吊設バー制動用レバーによって吊設バーをその位置で係止させて元の位置に戻らないようにすることで、整理箪笥等が後方に傾くことで前方に倒れないようにしている。
【特許文献１】特開２０００−１８４９２４号公報（第１〜２頁、図１〜図５）
【発明の開示】
【発明が解決しようとする課題】
【０００４】
ところで、上記従来の機器の設置構造においては、設置場所の地面あるいはベースプレートにアンカーボルトを打ち込むことで、自動販売機を確実に固定できるものの、アンカーボルトを用いると、その設置工事に手間及び労力がかかり過ぎるので、自動販売機を簡単に設置することができず、また自動販売機を床面に設置する場合には床面に穴を開けることとなり、好ましくないという問題が有った。
【０００５】
一方、特許文献１に記載されている発明では、箱物長尺物が振動したとき、それと共に箱物長尺物取付部材が振動して吊設バーが持ち上がり、その際、吊設バー制動用レバーによって吊設バーが降下しないようにしているものの、このような構成では整理箪笥等のような軽量物には有効であるとしても、自動販売機などの大きな重量の有る機器には適用できないと思われる。すなわち、自動販売機などの大きな重量の有る機器では、吊設バー及び制動用レバーの双方が押圧されてしまい元の位置に簡単に戻ってしまうばかりでなく、全体の構成体そのものが押し潰されてしまうおそれがあり、したがって、自動販売機程度の大きな重量の機器には利用することができないという問題が有った。
【０００６】
本発明は、このような事情に鑑みてなされたものであり、アンカーボルトを打ち込むことなく、大きな重量を有する機器が転倒するのを防止し得る転倒防止装置及びそれを備えた機器の設置構造を提供することを目的とする。
【課題を解決するための手段】
【０００７】
請求項１に記載の発明は、地面または床上に設置する機器の転倒防止装置であって、  地面または床上に設置され、前記機器の一対の後脚が固定される一対のベースプレートと、  前記機器の両側面前方側に、それぞれ前記側面と前記ベースプレートとの間に前記機器の上方への浮き上がり量に応じた位置で保持する一対の保持機構とを有することを特徴とする。
【０００８】
また、請求項２に記載の発明は、請求項１に記載の転倒防止装置において、前記保持機構はラックと逆転防止機能を備えた送り爪からなるラチェット機構であり、前記機器の側面には前記ラックが固定され、前記ベースプレートには前記送り爪が固定されていることを特徴とする。
【０００９】
また、請求項３に記載の発明は、請求項１に記載の転倒防止装置において、前記保持機構はラックと逆転防止機能を備えた送り爪からなるラチェット機構であり、前記機器の側面には前記送り爪が固定され、前記ベースプレートにはラックが固定されていることを特徴とする。
【００１０】
また、請求項４に記載の発明は、請求項1乃至３のいずれかに記載の転倒防止装置と、該転倒防止装置のベースプレート上に配置される機器とを有することを特徴とする。
【００１１】
また、請求項５に記載の発明は、請求項４に記載の転倒防止装置を備えた機器の設置構造において、前記機器は、自動販売機であることを特徴とする。
【発明の効果】
【００１２】
以上説明したように、請求項１に記載の発明によれば、  地面または床上に設置され、前記機器の一対の後脚を一対のベースプレートに固定し、前記機器の両側面前方側に、それぞれ前記側面と前記ベースプレートとの間に前記機器の上方への浮き上がり量に応じた位置で保持する一対の保持機構を設けるようにしたので、地震等により機器に振動が加わることにより機器が浮き上がった際に、その位置で保持され、機器が後方に傾いた状態で保持されるので、機器が前方に転倒するのが防止される。
また、機器を設置するに際し、地面または床上に設置される一対のベースプレートに機器の一対の後脚及び一対の保持機構を固定するだけであるので、アンカーボルトを打ち込むことなく、大きな重量を有する機器が転倒するのを防止し得る。
【００１３】
また、請求項２に記載の発明によれば、前記保持機構はラックと逆転防止機能を備えた送り爪からなるラチェット機構であり、前記機器の側面には前記ラックが固定され、前記ベースプレートには前記送り爪が固定されるようにしたので、地震等により機器に振動が加わることにより機器が浮き上がった際に、ラックと送り爪との係合によりその位置で保持され、機器が後方に傾いた状態で保持されるので、機器が前方に転倒するのが防止される。
また、機器を設置するに際し、地面または床上に設置される一対のベースプレートに機器の一対の後脚を固定しかつ一対のベースプレートと機器との間に一対のラチェット機構を固定するだけであるので、アンカーボルトを打ち込むことなく、大きな重量を有する機器が転倒するのを防止し得る。
さらに、ラチェット機構が作動後において、機器をジャッキアップするだけで元の状態に容易に復旧させることができる。
また、機器に加わる振動による機器の浮き上がり量に応じてラチェット機構により段階的に機器が後方に傾くように機器前面側が上昇するので、機器内の収納物の破損を防止することができる。
【００１４】
また、請求項３に記載の発明によれば、前記保持機構はラックと逆転防止機能を備えた送り爪からなるラチェット機構であり、前記機器の側面には前記送り爪が固定され、前記ベースプレートにはラックが固定されるようにしたので、地震等により機器に振動が加わることにより機器が浮き上がった際に、ラックと送り爪との係合によりその位置で保持され、機器が後方に傾いた状態で保持されるので、機器が前方に転倒するのが防止される。
また、機器を設置するに際し、地面または床上に設置される一対のベースプレートに機器の一対の後脚を固定しかつ一対のベースプレートと機器との間に一対のラチェット機構を固定するだけであるので、アンカーボルトを打ち込むことなく、大きな重量を有する機器が転倒するのを防止し得る。
さらに、ラチェット機構が作動後において、機器をジャッキアップするだけで元の状態に容易に復旧させることができる。
また、機器に加わる振動による機器の浮き上がり量に応じてラチェット機構により段階的に機器が後方に傾くように機器前面側が上昇するので、機器内の収納物の破損を防止することができる。
【００１５】
また、請求項４に記載の発明によれば、請求項1乃至３のいずれかに記載の転倒防止装置と、該転倒防止装置のベースプレート上に配置される機器とを有するので、地震等により機器に振動が加わることにより機器が浮き上がった際に、その位置で保持され、機器が後方に傾いた状態で保持されるので、機器が前方に転倒するのが防止される。
また、機器を設置するに際し、地面または床上に設置される一対のベースプレートに機器の一対の後脚及び一対の保持機構を固定するだけであるので、アンカーボルトを打ち込むことなく、大きな重量を有する機器が転倒するのを防止し得る。
さらに、保持機構がラチェット機構である場合には、ラチェット機構が作動後において、機器をジャッキアップするだけで元の状態に容易に復旧させることができる。
また、機器に加わる振動による機器の浮き上がり量に応じてラチェット機構により段階的に機器が後方に傾くように機器前面側が上昇するので、機器内の収納物の破損を防止することができる。
【００１６】
また、請求項５に記載の発明によれば、自動販売機に適用されることで、地震等により機器に振動が加わることにより自動販売機が浮き上がった際に、その位置で保持され、自動販売機が後方に傾いた状態で保持されるので、自動販売機が前方に転倒するのが防止される。
また、自動販売機を設置するに際し、地面または床上に設置される一対のベースプレートに自動販売機の一対の後脚及び一対の保持機構を固定するだけであるので、アンカーボルトを打ち込むことなく、大きな重量を有する自動販売機が転倒するのを防止し得る。
さらに、保持機構がラチェット機構である場合には、ラチェット機構が作動後において、自動販売機をジャッキアップするだけで元の状態に容易に復旧させることができる。
また、自動販売機に加わる振動による機器の浮き上がり量に応じてラチェット機構により段階的に自動販売機が後方に傾くように自動販売機前面側が上昇するので、自動販売機内の収納物の破損を防止することができる。
【発明を実施するための最良の形態】
【００１７】
以下、本発明の実施形態を、図面を参照して詳細に説明する。本発明の実施形態では、大きな重量を有する機器として自動販売機を例にとり、説明する。図1及び図２は本発明の第１実施形態に係る転倒防止装置を備えた自動販売機の設置構造を示している。図１は、自動販売機の設置構造の正面図であり、図２はその側面図である。これらの図において、自動販売機１は、地面または床面Ｇに設置された一対のベースプレート２Ａ，２Ｂに後脚３Ａ，３Ｂが固定されている。また自動販売機１の両側面の前方側において、自動販売機１の各側面とベースプレート２Ａ（または２Ｂ）との間に一対の保持機構４Ａ，４Ｂが設けられている。
【００１８】
次に、保持機構の具体的構成について図３を参照して説明する。図３は、一対の保持機構のうち保持機構４Ａについて示している。保持機構４Ａ，４Ｂの構成は同一であるので、保持機構４Ａについてのみ説明し、保持機構４Ｂについてはその説明を省略する。図３において、自動販売機１の側面前方には、固定板１０が固設され、該固定板１０には所定距離だけ離間して一対の挟持板１１Ａ，１１Ｂが立設されている。
また、板材が中央部から下部に向けて直線状に形成された直状部１２Ａと、前記中央部から上部に向けて湾曲した湾曲部１２Ｂとからなり、前記直状部１２Ａの側面にラチェット１２Ｃが形成されたラチェット部材１２の前記湾曲部１２Ｂには取付部材１３が固設されている。尚、本実施形態では、ラチェット部材１２は直状部１２Ａと湾曲部１２Ｂとからなるように構成しているが、この形状でなければならない必要はなく、要はラチェットが自動販売機１側に固定されていればよい。
【００１９】
前記ラチェット部材１２に固定された取付部材１３は、一対の挟持板１１Ａの間隙に挿入され、ボルト１４により締め付け固定され、これによりラチェット部材１２は、自動販売機１の側面前方に固定されている。
一方、ラチェット１２Ｃに係合する爪部１５Ａを有する送り爪１５は、ベースプレート２Ａにボルト２１、２２により固定された取付板１６に立設された一対の支持板１７Ａ，１７Ｂに挟まれた空間内に収容され、軸１８により一対の支持板１７Ａ，１７Ｂに回動可能に支持されるとともに、図示してない弾性部材により図上、反時計方向に付勢されている。
また、送り爪１５は、図上、時計方向に回転可能であるが、反時計方向には、送り爪１５の端部１５Ｂがストッパ１９に当接することによりその回動が規制されるようになっている。２０は、一対の支持板１７Ａ，１７Ｂを補強するための補強部材であり、図では支持板１７Ａの側にのみ示されているが、支持板１７Ｂの反対側にも設けられている。
【００２０】
上記構成において、地震等により自動販売機１に振動が加わると、自動販売機１の一対の後脚３Ａ，３Ｂが一対のベースプレート２Ａ，２Ｂに固定されており、自動販売機１の前面側がフリーに近い状態にあるので、自動販売機１の前面側が浮き上がり、その際にラチェット部材１２が図上、上方に移動し、送り爪１５が時計方向に回動し、自動販売機１の浮き上がり量に応じた位置で送り爪１５の爪部１５Ａがラチェット部材１２のラチェット１２Ｃに係合し、送り爪１５の端部１５がストッパ１９に当接することにより自動販売機１が保持される。
【００２１】
このようにして地震等により自動販売機１に振動が加わることにより図４に示すように、自動販売機１が浮き上がった際に、ラック１２Ｃと送り爪１５との係合によりその位置で保持され、図５に示すように自動販売機１が後方に傾いた状態で保持されるので、自動販売機１が前方に転倒するのが防止される。
また、自動販売機１を設置するに際し、地面または床上に設置される一対のベースプレート２Ａ，２Ｂに自動販売機の一対の後脚３Ａ．３Ｂを固定しかつ一対のベースプレート２Ａ，２Ｂと自動販売機１との間に一対のラチェット機構を固定するだけであるので、アンカーボルトを打ち込むことなく、大きな重量を有する自動販売機等の機器が転倒するのを防止し得る。
【００２２】
さらに、ラチェット機構が作動後において、自動販売機１をジャッキアップするだけで元の状態に容易に復旧させることができる。
また、自動販売機１に加わる振動による自動販売機の浮き上がり量に応じてラチェット機構により段階的に自動販売機が後方に傾くように自動販売機１前面側が上昇するので、自動販売機１内の収納物の破損を防止することができる。
【００２３】
次に、図６に本発明の第２実施形態に係る転倒防止装置の構成を示す。第２実施形態に係る転倒防止装置が第１実施の形態に係る転倒防止装置と構成上、異なるのは、自動販売機１の保持機構を構成するラチェット機構のうちラチェット部材をベースプレート側に固定し、ラチェット部材のラチェットに係合する送り爪を自動販売機の側面側に取り付けた点である。以下、図６を参照して具体的に説明する。同図において、自動販売機１の側面前方には、底板部５０Ａと底板部５０Ａに直交する方向に突出する突出部５０Ｂからなる取付部材５０の底板部５０Ａが固定されており、突出部５０Ｂの先端部には一対の支持板５１Ａ，５１Ｂが所定の間隔を保持するようにスペーサ５２、５２を介して固定され、一対の支持板５１Ａ，５１Ｂの下端は、ベースプレート２Ａの上方に位置している。
【００２４】
また、上記一対の支持板５１Ａ，５１Ｂの下端に対面するベースプレート２上には、取付板１６がボルト２１、２２により固定されている。この取付板１６には、板材の側面にラチェット３０Ａが形成されたラチェット部材３０の一部が上記一対の支持板５１Ａ，５１Ｂにより形成された空間内に収容される位置に立設されている。
また、上記一対の支持板５１Ａ，５１Ｂにより形成された空間内には、ラチェット部材３０のラチェット３０Ａに係合する爪部４０Ａを有する送り爪４０が軸４１により回動可能に支持されるとともに、図示してない弾性部材により図上、反時計方向に付勢されている。
また、送り爪４０は、図上、反時計方向に回転可能であるが、時計方向には、送り爪４０の端部４０Ｂがストッパ５３に当接することによりその回動が規制されるようになっている。
【００２５】
上記構成において、地震等により自動販売機１に振動が加わると、自動販売機１の一対の後脚３Ａ，３Ｂが一対のベースプレート２Ａ，２Ｂに固定されており、自動販売機１の前面側がフリーに近い状態にあるので、自動販売機１の前面側が浮き上がり、その際に送り爪４０が反時計方向に回動してラチェット３０Ａ上を摺動することにより図上、上方に移動し、自動販売機１の浮き上がり量に応じた位置で送り爪４０の爪部４０Ａがラチェット部材３０のラチェット３０Ａに係合し、送り爪４０の端部４０Ｂがストッパ５３に当接することにより自動販売機１が保持される。
【００２６】
このようにして地震等により自動販売機１に振動が加わることにより図４に示すように、自動販売機１が浮き上がった際に、ラック３０あと送り爪４０との係合によりその位置で保持され、図５に示すように自動販売機１が後方に傾いた状態で保持されるので、自動販売機１が前方に転倒するのが防止される。
また、自動販売機１を設置するに際し、地面または床上に設置される一対のベースプレート２Ａ，２Ｂに自動販売機の一対の後脚３Ａ．３Ｂを固定しかつ一対のベースプレート２Ａ，２Ｂと自動販売機１との間に一対のラチェット機構を固定するだけであるので、アンカーボルトを打ち込むことなく、大きな重量を有する自動販売機等の機器が転倒するのを防止し得る。
【００２７】
さらに、ラチェット機構が作動後において、自動販売機１をジャッキアップするだけで元の状態に容易に復旧させることができる。
また、自動販売機１に加わる振動による自動販売機の浮き上がり量に応じてラチェット機構により段階的に自動販売機が後方に傾くように自動販売機１前面側が上昇するので、自動販売機１内の収納物の破損を防止することができる。
【図面の簡単な説明】
【００２８】
【図１】本発明の実施形態に係る転倒防止装置を備えた自動販売機の設置構造を示し、その正面図。
【図２】本発明の実施形態に係る転倒防止装置を備えた自動販売機の設置構造を示し、その側面図。
【図３】本発明の第１実施形態に係る転倒防止装置の構成を示す図。
【図４】図１乃至３に示した本発明の第１実施形態に係る転倒防止装置が作動する前の状態を示す説明図。
【図５】図１乃至３に示した本発明の第１実施形態に係る転倒防止装置が作動した後の状態を示す説明図。
【図６】本発明の第２実施形態に係る転倒防止装置の構成を示す図。
【符号の説明】
【００２９】
1…自動販売機（機器）、２Ａ，２Ｂ…ベースプレート、３Ａ，３Ｂ…後脚、４Ａ，４Ｂ…保持機構、１０…固定板、１１Ａ，１１Ｂ…挟持板、１２、３０…ラチェット部材、１２Ｃ、３０Ａ…ラチェット、１３、５０…取付部材、１４、２１，２２…ボルト、１５、４０…送り爪、１６…取付板、１７Ａ，１７Ｂ，５１Ａ，５１Ｂ…支持板、１８…軸、１９、５３…ストッパ、２０…補強部材、５２…スペーサ
【図１】
2005099924.tif 000003
【図２】
2005099924.tif 000004
【図３】
2005099924.tif 000005
【図４】
2005099924.tif 000006
【図５】
2005099924.tif 000007
【図６】
2005099924.tif 000008